(57)【要約】【課題】次のイベント情報として的確な案内情報を提供し得る情報提供装置を提供する。【解決手段】ウェアラブル端末２０のＧＰＳユニット２６により利用者Ｍが所定のイベントに参加するために立ち寄った地点Ｐの位置情報を検出し、サーバ１０のイベント内容推定部１０ａにより位置情報に基づいてイベントの内容を推定し、参加態様推定部１０ｂ、案内項目決定部１０ｃ、案内対象検索部１０ｄによりイベントの内容に基づいてこの後に続く次のイベントの案内情報を参加者に提案する。これにより、所定のイベントを終えたイベントの利用者Ｍに次のイベントの案内情報を提供することができる。【選択図】図１
2011210075.tif 000002
【特許請求の範囲】
【請求項１】
所定のイベントの参加者に次のイベントの案内情報を提供する情報提供装置であって、
前記参加者が前記所定のイベントに参加するために立ち寄った地点の位置情報を検出する位置情報検出手段と、
前記位置情報に基づいて前記イベントの内容を推定するイベント内容推定手段と、
前記イベントの内容に基づいてこの後に続く次のイベントの案内情報を前記参加者に提案するイベント情報提案手段と、
を備えることを特徴とする情報提供装置。
【請求項２】
前記イベント情報提案手段は、
前記参加者の前記所定のイベントの参加態様情報を取得しこの参加態様情報に基づいて前記イベントの参加態様を推定する参加態様推定手段と、
前記推定された参加態様および前記イベントの内容に基づいて前記次のイベントの案内情報を決定する案内情報決定手段と、
前記案内情報を前記参加者に認識可能に出力する案内情報出力手段と、
を備えることを特徴とする請求項１に記載の情報提供装置。
【請求項３】
前記次のイベントの案内情報が前記所定のイベントの参加度合いに対応して複数存在する場合、前記案内情報決定手段は、
前記推定された参加態様に含まれる参加度合いの情報に基づいて、前記案内情報決定手段により決定される案内情報を前記複数の中から選択することを特徴とする請求項２に記載の情報提供装置。
【発明の詳細な説明】
【技術分野】
【０００１】
本発明は、所定のイベント参加者に次のイベントの案内情報を提供する情報提供装置に関するものである。なお「イベント」とは、『催事』のように、特別に行う催しごとを意味するものではなく、スポーツ、レジャー、ショッピング、外食など、日常生活で行われ得る一般的な催しや行事のことをいう（以下同じ）。
【背景技術】
【０００２】
店舗における顧客の行動分析や従業員の能率を向上させることを目的として、ＩＴ技術を用いた行動分析が行われマーケティングなどに活用するためのデータを得る手法がある。その一つに、店舗内を移動する顧客の行動を解析し、予め登録しておいた移動パターンの類型と顧客の購買行動とを比較することにより得られる有用な情報を提供する技術が提案されている（下記特許文献１）。
【先行技術文献】
【特許文献】
【０００３】
【特許文献１】国際公開ＷＯ２００５／１１１８８０号
【発明の概要】
【発明が解決しようとする課題】
【０００４】
しかしながら、上記特許文献１に開示される技術によると、顧客の行動分析に有用な情報として、例えば、顧客の行動パターンや購買行動に基づく顧客の属性や商品の売れ行き良否などに関する情報は得られるものの、この技術は小売業を中心とした商品を販売する特定の店舗における顧客の行動分析や従業員の能率を向上させることを目的としている。
【０００５】
このため、例えば、多目的ホールのように、様々なイベントを開催できるように設計された施設においては、そこを訪れる利用者の行動パターンを得ることはできても、イベントの内容に左右されるイベントの参加態様までは、上記特許文献１に開示される技術を適用しても得ることは難しい。したがって、イベントを終えた利用者（イベントの参加者）にその参加態様に応じた次のイベント情報を提供しようとしても、的確な案内情報を提供することができないという問題がある。
【０００６】
また、特定の利用目的、例えば、スポーツイベントの開催を目的に設けられた施設であっても、スポーツ観戦する場合とそのスポーツに参加する場合とでは、利用者の参加態様が異なることから、この場合にも次のイベント情報として的確な案内情報を提供することができないという問題がある。
【０００７】
本発明は、上述した課題を解決するためになされたもので、次のイベント情報として的確な案内情報を提供し得る情報提供装置を提供することを目的とする。
【課題を解決するための手段】
【０００８】
上記目的を達成するため、特許請求の範囲に記載された請求項１の技術的手段を採用する。この手段によると、位置情報検出手段により参加者が所定のイベントに参加するために立ち寄った地点の位置情報を検出し、イベント内容推定手段により位置情報に基づいてイベントの内容を推定し、イベント情報提案手段によりイベントの内容に基づいてこの後に続く次のイベントの案内情報を参加者に提案する。これにより、所定のイベントを終えたイベントの参加者に次のイベントの案内情報を提供することができる。
【０００９】
また、特許請求の範囲に記載された請求項２の技術的手段を採用する。この手段によると、イベント情報提案手段は、参加者の所定のイベントの参加態様情報を取得しこの参加態様情報に基づいてイベントの参加態様を推定し、案内情報決定手段により推定された参加態様およびイベントの内容に基づいて次のイベントの案内情報を決定し、さらに案内情報出力手段により案内情報を参加者に認識可能に出力する。これにより、イベントの参加態様に応じた次のイベントの情報が得られる。
【００１０】
また、特許請求の範囲に記載された請求項３の技術的手段を採用する。この手段によると、次のイベントの案内情報が所定のイベントの参加度合いに対応して複数存在する場合、案内情報決定手段は、推定された参加態様に含まれる参加度合いの情報に基づいて、案内情報決定手段により決定される案内情報を複数の中から選択する。これにより、イベントの参加態様に含まれる参加度合いに応じた次のイベントの情報が得られる。
【発明の効果】
【００１１】
請求項１の発明では、参加者が所定のイベントに参加するために立ち寄った地点の位置情報を検出し、この位置情報に基づいてイベントの内容を推定してこの後に続く次のイベントの案内情報を参加者に提案する。これにより、所定のイベントを終えたイベントの参加者に次のイベントの案内情報を提供することができる。したがって、次のイベント情報として的確な案内情報を提供することができる。
【００１２】
請求項２の発明では、所定のイベントに参加する態様が複数存在する場合においては、イベントの参加態様を推定し、この参加態様およびイベントの内容に基づいて次のイベントの案内情報を決定して参加者に認識可能に出力する。これにより、イベントの参加態様に応じた次のイベントの情報が得られる。したがって、次のイベント情報として的確な案内情報を提供することができる。
【００１３】
請求項３の発明では、次のイベントの案内情報が所定のイベントの参加度合いに対応して複数存在する場合においては、推定された参加態様に含まれる参加度合いの情報に基づいて決定される案内情報を複数の中から選択する。これにより、イベントの参加態様に含まれる参加度合いに応じた次のイベントの情報が得られる。したがって、次のイベント情報として的確な案内情報を提供することができる。
【図面の簡単な説明】
【００１４】
【図１】本発明の実施形態に係るイベント情報提供システムの構成例を示す説明図である。
【図２】本実施形態のイベント情報提供システムによる次イベント案内機能による情報処理の流れを示すフローチャートである。
【図３】図２に示すイベント内容推定処理の流れを示すフローチャートである。
【図４】図２に示す参加態様推定処理の流れを示すフローチャートである。
【図５】図２に示す案内項目決定処理の流れを示すフローチャートである。
【図６】図２に示す案内対象検索処理の流れを示すフローチャートである。
【図７】図２に示す案内情報生成処理の流れを示すフローチャートである。
【発明を実施するための形態】
【００１５】
以下、イベント情報提供システムに本発明の情報提供装置を適用した実施形態を各図に基づいて説明する。まずイベント情報提供システムの構成例を図１を参照して説明する。
【００１６】
図１に示すように、本実施形態に係るイベント情報提供システムは、施設Ｐで行われるイベントの参加者である利用者Ｍに次のイベントの案内情報を提供する機能（以下「次イベント案内機能」という）を有するもので、主に、インターネット１００に接続されたサーバ１０と当該利用者Ｍが装着したウェアラブル端末２０とから構成されている。
【００１７】
サーバ１０は、例えば、情報センタ１０１に設備されてインターネット１００などの電気通信回線に接続されるコンピュータシステム（図略のＣＰＵ、メモリ装置や入出力インターフェイスを備える）で、同センタ１０１に設けられる入出力装置１２やデータベース１４に接続されている。
【００１８】
サーバ１０の基本的な機能は、ウェアラブル端末２０など、電気通信回線に接続される情報端末に、音楽・動画・ゲームなどのエンターテイメント情報、店舗・施設・地図・経路などの案内情報や、ニュース・天気予報などのマスコミ情報など、様々なコンテンツからなる情報を提供する機能で、図略の情報提供部と端末管理部とにより実現されている。即ち、端末管理部に登録された特定の情報端末に対して、当該情報端末から要求されたコンテンツを含む情報をインターネット１００を介して提供しており、これらに関する種々のオペレーションを、入出力装置１２やインターネット１００を介して他の端末装置から操作可能に構成されている。
【００１９】
データベース１４は、例えば数百ＴＢ（テラバイト）クラスの磁気ディスク装置などからなる情報記憶媒体で、ウェアラブル端末２０などの情報端末に提供する各種コンテンツを蓄積している。本実施形態では、エンターテイメント情報やマスコミ情報などのほかに、レストラン・喫茶店・居酒屋などの飲食施設、野球場・ボーリング場・スキー場などのスポーツ施設、映画館・コンサートホールなどのエンターテイメント施設、美術館・博物館などの文化施設など、各種施設に関する案内情報やその位置情報、さらにはこれらを含んだ地図情報や経路案内情報なども蓄積している。
【００２０】
本実施形態に係るサーバ１０では、このような基本的な情報提供機能に加えて、例えばウェアラブル端末２０を装着している利用者Ｍが、施設Ｐで行われるイベントに参加している場合には、その次のイベントの案内情報を当該利用者Ｍのウェアラブル端末２０に提供し得る機能、つまり次イベント案内機能も備えている。
【００２１】
即ち、後述するように、次イベント案内プログラムを構成するイベント内容推定部１０ａ、参加態様推定部１０ｂ、案内項目決定部１０ｃ、案内対象検索部１０ｄや案内情報生成部１０ｅなどがサーバ１０のコンピュータで実行されることによって、次イベント案内機能の主要部分がサーバ１０で実現されている。
【００２２】
ウェアラブル端末２０は、ＭＰＵ２１、タッチパネルキー２２、液晶ディスプレイ２３、オーディオユニット２５、ＧＰＳユニット２６、無線ユニット２７、加速度センサ２８により構成される無線通信機能付きの情報端末装置で、例えば、携帯電話と携帯情報端末を融合させた携帯端末（いわゆるスマートフォン）がこれに相当する。本実施形態では、無線ユニット２７による無線通信によりアクセスポイント１０２を経由してインターネット１００に接続可能であるとともに、例えば、腕時計のように利用者Ｍの身体に装着可能に構成することにより、利用者Ｍの運動状態をより正確に検出可能にしている。
【００２３】
即ち、ウェアラブル端末２０は、ＭＰＵ２１、タッチパネルキー２２や液晶ディスプレイ２３などによる情報端末としての基本機能のほかに、加速度センサ２８による利用者Ｍの身体の動き（例えば、移動速度、腕・足・腰などの振りや体の傾き）を検出することにより当該利用者Ｍの運動状態を検出し運動情報を出力可能にしている。このため、図１に示す例では、利用者Ｍの上腕に当該ウェアラブル端末２０を装着することにより、腕の振りに基づく利用者Ｍの運動状態の検出精度を高めている。なお、この運動情報は、特許請求の範囲に記載の「参加態様情報」に相当し得るものである。
【００２４】
この加速度センサ２８は、例えば、Ｘ軸，Ｙ軸，Ｚ軸の３方向の加速度を１つのデバイスで検出可能なもので、参加態様情報を取得する手段である。なお、本実施形態では、３軸方向を検出可能なものを用いているが、高い検出精度を要求されない場合には、１軸方向や２軸方向を検出可能なものであっても良い。
【００２５】
なお、この加速度センサ２８による運動情報は、ＧＰＳユニット２６による現在位置を緯度・経度で示す位置情報とともに、無線ユニット２７によりサーバ１０に対し定期的（例えば１秒ごと）にインターネット１００を介して送信されている。また、ウェアラブル端末２０の基本機能として、サーバ１０からインターネット１００を介して受信するエンターテイメント情報や案内情報などのコンテンツからなる情報は、利用者Ｍの操作により液晶ディスプレイ２３やオーディオユニット２５に出力される。つまり、次イベント案内機能のうち、利用者Ｍの現在の位置情報や運動情報を検出する機能と、利用者Ｍに対して次のイベントの案内情報を提示する機能とが、このウェアラブル端末２０により実現されている。
【００２６】
ここで、本イベント情報提供システムによる次イベント案内機能を実現する次イベント案内プログラム（イベント内容推定部１０ａ、参加態様推定部１０ｂ、案内項目決定部１０ｃ、案内対象検索部１０ｄおよび案内情報生成部１０ｅ）の概要を説明する。
【００２７】
前述したように、本イベント情報提供システムでは、次イベント案内機能の主要部分がサーバ１０に実現されているため、ここからは、サーバ１０のコンピュータで実行される情報処理の概要とその流れを、図１に加えて図２〜図７を参照して説明する。
【００２８】
イベント内容推定部１０ａは、利用者Ｍが参加しているイベントの内容を推定する機能を有するもので、ウェアラブル端末２０から定期的に送信されて来る利用者Ｍの現在の位置情報（例えば緯度・経度）に基づいて、データベース１４に蓄積された地図情報の緯度・経度に合致した住所情報やこの住所情報に関連づけられた施設情報を検索する。なお、この施設情報には、施設の名称のほかに、スポーツ施設、飲食施設等の施設種別、当該施設で実施可能なイベントの種類（野球・サッカー・陸上競技・ボーリング・スケート・スキー・スノーボード・ゴルフ等）、観客席の有無や、施設の所在地が山間部などで近隣に温泉地が存在する場合など地理的な特殊性から次イベントの案内情報が複数存在するときの案内項目数など当該施設に関する情報が含まれている。なお、このイベント内容推定部１０ａは、特許請求の範囲に記載の「イベント内容推定手段」に相当し得るものである。
【００２９】
参加態様推定部１０ｂは、利用者Ｍがイベントに参加している態様を推定する機能を有するもので、ウェアラブル端末２０から定期的に送信されて来る利用者Ｍの運動状態を示す運動情報を蓄積することによって当該利用者Ｍのイベントの参加態様を推定する。即ち、参加態様推定部１０ｂは、ウェアラブル端末２０から利用者Ｍのイベント参加の態様を「イベントの参加態様情報」として取得することによって当該参加者Ｍのイベントの参加態様を推定する。「参加態様」以外の表現として、「活動内容」や「活動態様」がある。
【００３０】
例えば、施設Ｐ内においても利用者Ｍの運動量が比較的に少ない場合には、運動競技系のイベントに参加しているのではなく、当該利用者Ｍは観客としてイベントを観戦や観覧している可能性が高いものと推定する。これに対し、利用者Ｍの運動量が多い場合には、当該利用者Ｍは運動競技系のイベントに選手として参加している可能性が高いものと推定する。このような参加態様の推定は、施設情報による実施可能なイベントの種類や観客席の有無など、当該施設に関する情報と、利用者Ｍの運動状態による運動情報と、に基づいて推定される。なお、この参加態様推定部１０ｂは、特許請求の範囲に記載の「イベント情報提案手段」および「参加態様推定手段」に相当し得るものである。
【００３１】
案内項目決定部１０ｃは、利用者Ｍの参加態様とイベントの内容とに基づいて次のイベントの案内情報を決定する機能を有するものである。例えば、利用者Ｍの運動量が多く選手としてスポーツに参加していると推定される場合には、ボリュームの多いメニューや高カロリーのメニューの食事を次のイベント候補とし、利用者Ｍの運動量が少なく観客としてスポーツ観戦していると推定される場合には、例えば、通常量のメニューや低カロリーのメニューの食事を次のイベント候補として、決定する。なお、この案内項目決定部１０ｃは、特許請求の範囲に記載の「イベント情報提案手段」および「案内情報決定手段」に相当し得るものである。
【００３２】
案内対象検索部１０ｄは、案内項目決定部１０ｃにより決定された次のイベント候補と利用者Ｍの現在の位置情報とに基づいて、データベース１４に蓄積された施設情報で現在位置に比較的近いものを検索する。例えば、ボリュームの多いメニューや高カロリーのメニューの食事を提供する飲食店舗の情報としては、中華料理店や焼肉店などががあり、また通常量のメニューや低カロリーのメニューの食事を提供する飲食店舗の情報としては、ファミリーレストランや和食店などがある。なお、この案内対象検索部１０ｄは、特許請求の範囲に記載の「イベント情報提案手段」および「イベント情報決定手段」に相当し得るものである。
【００３３】
案内情報生成部１０ｅは、案内対象検索部１０ｄにより検索された施設の案内対象情報をウェアラブル端末２０に出力可能な情報の形式に編集して生成する機能を有するもので、例えば、画像情報や文字情報であればウェアラブル端末２０の液晶ディスプレイ２３の表示領域に適合した画面サイズや縦横比に編集する。また音声情報であれば、ウェアラブル端末２０のオーディオユニット２５により再生可能なデータ形式に変換したり、再生可能時間等のサイズに編集する。ウェアラブル端末２０が実装している液晶ディスプレイ２３やオーディオユニット２５などに関する入出力機器情報は、サーバ１０の基本的な機能として、端末管理部に登録している情報端末情報に含まれているため、これを参照している。なお、この案内情報生成部１０ｅは、特許請求の範囲に記載の「イベント情報提案手段」および「案内情報出力手段」に相当し得るものである。
【００３４】
本実施形態では、このようにイベント情報提供システムを構成することにより、図２に示すように、ウェアラブル端末２０およびサーバ１０のコンピュータによって次イベント案内機能を実現する情報処理（以下「次イベント案内処理」という）が行われる。
【００３５】
この次イベント案内処理は、例えば、ウェアラブル端末２０側で、次イベント案内機能を起動させる特定のコマンドが入力されることにより、サーバ１０に対して次イベント案内要求のリクエストパケットが送信されて当該サーバ１０に届くことによって、サーバ１０のメモリにロードされている次イベント案内プログラムがスタートして始まる。なお、本実施形態では、ウェアラブル端末２０は、利用者Ｍの現在の位置情報と運動情報を常時定期的（例えば１秒ごと）にサーバ１０に向けて送信しているものとする。
【００３６】
図２に示すように、サーバ１０では、次イベント案内処理が始まると、まずステップＳ１０１により初期化処理が行われる。この処理は、例えば、タイマーカウンタやフラグなどが所定の初期値に設定したり、利用者Ｍのウェアラブル端末２０から送信されて来る当該利用者Ｍの現在の位置情報を取得する。
【００３７】
次のステップＳ１０３でも、ウェアラブル端末２０から送られて来る当該利用者Ｍの現在の位置情報を取得する。そして、ステップＳ１０５により前回取得した位置情報と今回の位置情報との離隔距離が所定の距離範囲内であるか否かの判断処理を行い、所定の距離範囲内でない場合には（Ｓ１０５；Ｎｏ）、まだ移動をし続けているため再びステップＳ１０１による初期化に処理を戻し、所定の距離範囲内である場合には（Ｓ１０５；Ｙｅｓ）、続くステップＳ１０７に処理を移行する。
【００３８】
即ち、ウェアラブル端末２０を装着した利用者Ｍが、所定距離範囲のエリア内に留まっているか否か、つまり施設利用による停留の有無をこのステップＳ１０５により判断している。この所定距離範囲は、所定の施設の敷地範囲に設定され、例えば、所定の施設が一般的な広さのドーム球場である場合には半径約１３０ｍに設定される。
【００３９】
続くステップＳ１０７ではタイマーによるカウントを開始する処理が行われる。これは、前述した所定距離範囲のエリア内に利用者Ｍが留まっていたとしても、その停留期間が短い場合には、例えば、信号待ちなどで一時的に移動を停止しているにすぎないこともあるので、そのような一時的な移動の停止を施設利用による停留と誤検出することを排除するため、次のステップＳ１０９とともに設けたものである。
【００４０】
そして、タイマーによるカウントを開始してから、所定時間を越えたと判断した場合には（Ｓ１０９；Ｙｅｓ）、次のステップＳ１１１のイベント内容推定処理に移行し、所定時間を越えていない場合には（Ｓ１０９；Ｎｏ）、再びステップＳ１０３に戻って利用者Ｍの現在の位置を取得する処理を行う。この所定時間は、例えば３０分や６０分など、想定されるイベントに参加する最小単位時間を設定する。これにより、例えば、ドーム球場クラスの広い範囲に３０分以上停留していたと判断された場合には、この期間内に何らかのイベントに参加している蓋然性が高いことになる。
【００４１】
ステップＳ１１１ではイベント内容推定処理が行われる。この処理は、前述したイベント内容推定部１０ａにより行われるもので、その詳細は図３に図示されている。そのため、ここからは図３を参照しながら説明をする。なお、このステップＳ１１１は、特許請求の範囲に記載の「イベント内容推定手段」に相当し得るものである。
【００４２】
図３に示すように、イベント内容推定処理では、ステップＳ２０１により現在の位置情報を取得する処理が行われる。即ち、このイベント内容推定処理に移行した場合には、所定時間を越えてほぼ同じ位置に停留をしていることから、この位置における緯度・経度を取得し、続くステップＳ２０３により当該位置に設けられている施設の情報を検索する。なお、図２に示すステップＳ１０３でも現在の位置情報を取得していることから、そのときに取得した緯度・経度の情報が有効である場合には、このステップＳ２０１により再取得する必要はない。
【００４３】
次のステップＳ２０３では施設情報検索処理、即ち現在位置の緯度・経度とデータベース１４に蓄積された地図情報の緯度・経度とが合致する住所情報やこの住所情報に関連づけられた施設情報を検索する処理が行われる。
【００４４】
そして、ステップＳ２０５により当該緯度・経度とが合致する施設情報がある場合には（Ｓ２０３；Ｙｅｓ）、続くステップＳ２０７により当該施設情報を取得しさらにステップＳ２０９によりその施設情報をメモリの所定領域に記憶して本イベント内容推定処理を終了する。これにより、当該位置に存在する施設の名称、スポーツ施設、飲食施設等の施設種別や当該施設で実施可能なイベントの種類（野球・サッカー・陸上競技・ボーリング・スケート・スキー・スノーボード・ゴルフ等）、さらには観客席の有無など、当該施設に関する情報が記憶される。
【００４５】
これに対し、ステップＳ２０５により当該緯度・経度とが合致する施設情報がない場合には（Ｓ２０３；Ｎｏ）、その旨（例えばNULLコード）をメモリの所定領域に記憶する。なお、ステップＳ１０１による初期化処理において当該メモリの所定領域にNULLコード等の合致する施設情報がない旨の情報を初期値として設定している場合には、図３に示すように特に処理を行うことなく本イベント内容推定処理を終了しても良い。
【００４６】
図３に示すイベント内容推定処理が終了すると、図２に示すステップＳ１１３に処理を移行する。ステップＳ１１３では、参加態様推定処理が行われる。この処理は、前述した参加態様推定部１０ｂにより行われるもので、その詳細は図４に図示されている。そのため、ここからは図４を参照しながら説明をする。なお、このステップＳ１１３は、特許請求の範囲に記載の「参加態様推定手段」に相当し得るものである。
【００４７】
図４に示すように、参加態様推定処理では、ステップＳ３０１により運動情報取得処理が行われる。即ち、前述したように、ウェアラブル端末２０からは利用者Ｍの運動状態を示す運動情報が定期的に送信されて来ることから、これを前述したタイマーによるカウント期間内、つまり想定されるイベントに参加する最小単位時間内に蓄積した運動情報をこのステップＳ３０１により取得する。
【００４８】
次のステップＳ３０２では施設情報読出処理が行われる。即ち、前述したステップＳ２０９（図３）によって利用者Ｍが停留している位置に存在する施設情報が記憶されているので、これを読み出す処理を行う。なお、図示していないが、施設情報がない旨を示す情報、例えばNULLコードが記憶されていた場合には本参加態様推定処理を終了する。
【００４９】
続くステップＳ３０３ではステップＳ３０２により読み出した施設情報の施設種別に基づいて当該施設がスポーツ施設であるか否かを判断する処理が行われる。そして、スポーツ施設である場合には（Ｓ３０３；Ｙｅｓ）、次のステップＳ３０５に移行し、スポーツ施設でない場合には（Ｓ３０３；Ｎｏ）、ステップＳ３０７に移行する。
【００５０】
ステップＳ３０５では利用者Ｍの運動量を判断する処理が行われる。即ち、ステップＳ３０１により取得された運動情報の蓄積情報に基づいて利用者Ｍの運動量がどの程度であるかを判断する。例えば、想定できる最大運動量を１００％とすると、その７０％以上である場合には（Ｓ３０５；Ｙｅｓ）、運動量が大きいと判断し、想定できる最大運動量の７０％未満である場合には（Ｓ３０５；Ｎｏ）、運動量が大きくないと判断する。
【００５１】
そして、運動量が大きいと判断された場合には（Ｓ３０５；Ｙｅｓ）、次のステップＳ３１１に処理を移行してエネルギー消費量フラグを「大」に設定する。一方、運動量が大きいと判断されない場合には（Ｓ３０５；Ｎｏ）、次のステップＳ３０９に処理を移行して別の基準で利用者Ｍの運動量を判断する処理が行われる。
【００５２】
例えば、想定できる最大運動量を１００％とすると、その３０％以上（７０％未満）である場合には（Ｓ３０９；Ｙｅｓ）、運動量が中程度であると判断し、想定できる最大運動量の３０％未満である場合には（Ｓ３０９；Ｎｏ）、運動量が小さいと判断する。
【００５３】
そして、運動量が中程度であると判断された場合には（Ｓ３０９；Ｙｅｓ）、次のステップＳ３１３に処理を移行してエネルギー消費量フラグを「中」に設定する。一方、運動量が小さいと判断された場合には（Ｓ３０９；Ｎｏ）、次のステップＳ３１５に処理を移行してエネルギー消費量フラグを「小」に設定する。
【００５４】
このようにステップＳ３０３により当該施設がスポーツ施設である判断されると、運動量の程度に応じてエネルギー消費量フラグが「大」・「中」・「小」とそれぞれ設定されるが、ステップＳ３０３により当該施設がスポーツ施設でない判断されると、ステップＳ３０７により当該施設が飲食施設であるか否かが判断される。
【００５５】
そして、当該施設が飲食施設であると判断される場合には（Ｓ３０７；Ｙｅｓ）、食事、喫茶や飲酒など、飲食物の摂取により総合的にはエネルギーを消費しているのではなくエネルギーを蓄えていると考えられるのでそれを示すエネルギー消費量フラグを「＋」に設定する。
【００５６】
また、飲食施設であると判断されない場合には（Ｓ３０７；Ｎｏ）、当該施設は、運動量の比較的少ないアミューズメント施設（映画館・コンサートホールなど）や文化施設（美術館・博物館など）であると判断されるので、次のステップＳ３１５に処理を移行してエネルギー消費量フラグを「小」に設定する。
【００５７】
このようにステップＳ３１１〜Ｓ３１７によりそれぞれ設定されたエネルギー消費量フラグは、ステップＳ３２１によりメモリの所定領域に記憶されて、本参加態様推定処理が終了する。このように、エネルギー消費量フラグは、イベントの参加態様、つまりスポーツイベントに選手として参加したか、観客として参加したか、を推定して設定されるもので、特許請求の範囲に記載の「参加態様に含まれる参加度合いの情報」に相当し得るものである。なお、イベントの参加態様を客観的に示す指標が存在する場合には、それを基準に「参加態様に含まれる参加度合いの情報」を設定しても良い。
【００５８】
図４に示す参加態様推定処理が終了すると、図２に示すステップＳ１１５に処理を移行する。ステップＳ１１５では、案内項目決定処理が行われる。この処理は、前述した案内項目決定部１０ｃおよび案内対象検索部１０ｄにより行われるもので、その詳細は図５に図示されている。そのため、ここからは図５を参照しながら説明をする。なお、このステップＳ１１５は、特許請求の範囲に記載の「案内項目決定手段」に相当し得るものである。
【００５９】
図５に示すように、案内項目決定処理では、ステップＳ４０１により現在時刻取得処理が行われる。これは時間帯によっては、次に案内をするイベントが時間的に適切ではない場合があり得るため、現在の時刻を取得することにしている。なお、現在時刻の情報は、サーバ１０を構成するコンピュータシステムに標準に設けられる時計機能から得られる。
【００６０】
ステップＳ４０３では、ステップＳ４０１により取得した現在時刻の情報に基づいて以後の時間帯において時間的に余裕があるか否かを判断する処理が行われる。例えば、現在時刻が午後１０時以降である場合には、たとえ次のイベント情報を案内したとしても、当該イベントの施設が閉店や閉館している可能性がある。また、公共交通機関を利用して移動をしている場合には、時間帯によっては交通機関の運行が終了している可能性もある。そのため、当該利用者Ｍが現在利用をしている施設やその近隣周辺に関する地図情報に基づいて、当該時刻以降における時間的な余裕を判断する処理がこのステップＳ４０３により行われる。
【００６１】
そして、時間的な余裕があると判断された場合には（Ｓ４０３；Ｙｅｓ）、続くステップＳ４０５に移行してエネルギー消費量フラグや施設情報をメモリの所定領域から読み出す処理を行う。これに対し、時間的な余裕がないと判断された場合には（Ｓ４０３；Ｎｏ）、それ以降のイベントを案内する必要がないので、本案内項目決定処理を終了しても良いが、本実施形態では、図５に示すように、ステップＳ４１９に処理を移行して、当該利用者Ｍが現在利用をしている施設やその近隣周辺に関する地図情報に基づいて最寄り駅の案内情報や宿泊施設の案内情報を第１案内項目に設定する。なお、図示していないが、施設情報がない旨を示す情報、例えばNULLコードがＳ４０５により読み出された場合には本案内項目決定処理を終了する。
【００６２】
続くステップＳ４０７ではエネルギー消費量フラグの設定内容に基づいて分岐先を決定する処理が行われる。即ち、エネルギー消費量フラグの設定内容が「大」である場合には（Ｓ４０７；「大」）、例えば、利用者Ｍの運動量が多く、選手としてスポーツに参加していると推定されるので、ステップＳ４１１によりボリュームの多いメニューや高カロリーのメニューの食事、つまり「高カロリー系食事」を第１案内項目に決定する。
【００６３】
また、エネルギー消費量フラグの設定内容が「中」である場合には（Ｓ４０７；「中」）、例えば、利用者Ｍは選手としてスポーツに参加しているものの、通常程度の運動量であると推定されるので、ステップＳ４１２によりボリュームやカロリーは普通のメニューの食事、つまり「中カロリー系食事」を第１案内項目に決定する。
【００６４】
これに対し、利用者Ｍの運動量が少なく観客としてスポーツ観戦していると推定される場合には（Ｓ４０７；「小」）、ステップＳ４１３によりさらに現在時刻から食事時間帯内であるか食事時間帯外であるかを判断し、食事時間帯内であればステップＳ４１４により、例えば軽めのメニューの食事、つまり「小カロリー系食事」を第１案内項目に決定する。一方、もし食事時間帯外であれば、あえて食事を勧める必要性が低いため、ステップＳ４１５により「ショッピング等」を第１案内項目に決定する。
【００６５】
さらに、エネルギー消費量フラグの設定内容が「＋」である場合には（Ｓ４０７；「＋」）、利用者Ｍが立ち寄った施設は飲食施設であると判断されており、既に食事等をしているものと推定されるため、この場合には、ステップＳ４１７により、例えば、他の種類の飲食店等、「喫茶・飲酒」を第１案内項目に決定する。
【００６６】
このようにステップＳ４１１〜Ｓ４１９により第１案内項目を決定すると、続くステップＳ４２１により第２案内項目の有無を判断する。即ち、前述したように、施設の所在地が山間部などで近隣に温泉地が存在する場合など地理的な特殊性から次イベントの案内情報が複数存在するときは、案内項目数が複数存在するため、このステップＳ４２１によりそれを判断する。
【００６７】
そして、第２案内項目が存在する場合には（Ｓ４２１；有）、次のステップＳ４２３により第２案内項目を設定する。図５に示す処理の例では、例えば、当該施設が「スキー場」である場合、その近隣に「温泉施設」が存在する情報が施設情報に含まれていた場合を想定して、第２案内項目として「温泉」を設定する。
【００６８】
なお、この第２案内項目についても、ステップＳ４０７によりエネルギー消費量フラグの設定内容に基づいて分岐先を決定しても良い。例えば、エネルギー消費量フラグの設定内容が「大」である場合には疲労回復系の泉質を持つ温泉施設を第２案内項目に設定し、エネルギー消費量フラグの設定内容が「中」である場合には美容系の泉質を持つ温泉施設を第２案内項目に設定し、エネルギー消費量フラグの設定内容が「小」である場合には治療系の泉質を持つ温泉施設を第２案内項目に設定する。これにより、第１案内項目に加えて第２案内項目についても、イベントの参加度合いに適した次イベントの案内が可能となる。
【００６９】
なお、案内項目が３つ以上存在する場合には、ステップＳ４２１、Ｓ４２３と同様の情報処理を多段に設けることによって、第３，４，５，…第ｎ案内項目を設定することが可能となる。
【００７０】
ステップＳ４２５では、第１，２案内項目等をメモリの所定領域に記憶する処理が行われて、本案内項目決定処理が終了する。
【００７１】
図５に示す案内項目決定処理が終了すると、図２に示すステップＳ１１７に処理を移行する。ステップＳ１１７では、案内対象検索処理が行われる。この処理は、前述した案内対象検索部１０ｄにより行われるもので、その詳細は図６に図示されている。そのため、ここからは図６を参照しながら説明をする。なお、このステップＳ１１７は、特許請求の範囲に記載の「案内項目決定手段」に相当し得るものである。
【００７２】
図６に示すように、案内対象検索処理では、ステップＳ５０１によりメモリの所定領域から前述のステップＳ４２５で記憶した第１，２案内項目等を読み出す処理が行われる。またこのステップＳ５０１により現在の情報を取得する処理が行われる。
【００７３】
続くステップＳ５０３では案内対象情報検索処理が行われる。この処理では、第１案内項目等と利用者Ｍの現在の位置情報とに基づいて、データベース１４に蓄積された施設情報で現在位置に比較的近いものが検索されて読み出される。データベース１４から読み出される案内対象情報には、文字情報のほかに、画像情報や音声情報など、様々なコンテンツが含まれている。
【００７４】
例えば、ボリュームの多いメニューや高カロリーのメニューの食事を提供する飲食店舗の情報としては、中華料理店や焼肉店などが案内対象となり、また通常量のメニューや低カロリーのメニューの食事を提供する飲食店舗の情報としては、ファミリーレストランや和食店などが案内対象となる。そして、当該飲食店舗で提供される食事のメニュー、値段、客席数、営業時間帯や地図等のアクセス情報、ホームページのＵＲＬに加えて、店舗内の写真情報や動画情報もこれらの案内対象情報として読み出される。
【００７５】
また、利用者Ｍの現在の位置情報に基づいて、例えば、半径１kmの距離範囲（半径１km円内）に存在する施設が案内対象となる。
【００７６】
そして、ステップＳ５０３による検索の結果、案内対象となり得る施設の情報が存在する場合には（Ｓ５０５；Ｙｅｓ）、ステップＳ５０９により処理を移行し、案内対象となり得る施設の情報が存在しない場合には（Ｓ５０５；Ｎｏ）、続くステップＳ５０７により地理的な検索範囲を、例えば、半径２kmの距離範囲（半径２km円内）に拡大して再度ステップＳ５０３に戻ってデータベース１４を検索する。
【００７７】
ステップＳ５０９では、検索対象となる項目が複数存在するか否か、つまりステップＳ４２５により記憶した案内項目が２つ以上存在する場合には、このステップＳ５０９により他の案内項目があるか否かを判断する。そして、他の案内項目がある場合には（Ｓ５０９；Ｙｅｓ）、検索項目を第２案内項目等に変更して再度ステップＳ５０３によりデータベース１４を検索する。
【００７８】
一方、他の案内項目がない場合には（Ｓ５０９；Ｎｏ）、検索された案内対象情報をステップＳ５１１によりメモリの所定領域に記憶する処理を行った後、本案内対象検索処理を終了する。なお、図示していないが、案内項目がない旨を示す情報、例えばNULLコードがステップＳ５０１により読み出された場合には本案内対象検索処理を終了する。
【００７９】
図６に示す案内対象検索処理が終了すると、図２に示すステップＳ１２１に処理を移行する。この処理は、利用者Ｍが施設Ｐに長時間停留した場合か否かを判断するもので、ステップＳ１０９により計時した時間（例えば３０分）よりも遙かに長い時間（例えば３時間〜５時間あるいは１０時間など）を越えている場合には（Ｓ１２１；Ｙｅｓ）、利用者Ｍの運動量も変動している可能性が高いため、再度、ステップＳ１１３に戻って参加態様を推定し直し案内項目もそれに基づいて再度決定する（Ｓ１１５）。
【００８０】
このような長期停留でない場合には（Ｓ１２１；Ｎｏ）、ステップＳ１２３に移行して利用者Ｍの現在の位置情報を取得し、利用者Ｍが当該施設Ｐから移動を開始したか否かをステップＳ１２５により判断する。つまり、ステップＳ１０５で判断をした所定距離範囲の外に移動をしている場合には、利用者Ｍは施設Ｐが出たと判断できるため、利用者Ｍの現在位置が所定距離範囲の外に出るまでステップＳ１２３，Ｓ１２５の処理を続ける。
【００８１】
ステップＳ１２５により利用者Ｍが所定距離範囲外に存在していると判断されると（Ｓ１２５；Ｙｅｓ）、続くステップＳ１２７により案内情報生成処理を行う。この処理は、前述した案内情報生成部１０ｅにより行われるもので、その詳細は図７に図示されている。そのため、ここからは図７を参照しながら説明をする。なお、このステップＳ１２７は、特許請求の範囲に記載の「案内情報出力手段」に相当し得るものである。
【００８２】
図７に示すように、案内情報生成処理では、ステップＳ６０１によりウェアラブル端末２０の端末情報を取得した後、ステップＳ６０３によりメモリの所定領域から前述のステップＳ５１１で記憶した案内対象情報を読み出す処理が行われる。なお、ウェアラブル端末２０の端末情報は、サーバ１０の基本的な機能として、端末管理部に登録されている。
【００８３】
ステップＳ６０５では、案内対象情報編集処理が行われる。この処理は、案内対象情報として含まれる画像情報や文字情報、さらには音声情報等のコンテンツを編集対象にしており、ウェアラブル端末２０の液晶ディスプレイ２３の表示領域に適合した画面サイズや縦横比に編集する。また音声情報であれば、ウェアラブル端末２０のオーディオユニット２５により再生可能なデータ形式に変換したり、再生可能時間等のサイズに編集する。
【００８４】
続くステップＳ６０７では、ステップＳ６０５により編集をした案内情報をメモリの所定領域に記憶する処理が行われて、本案内対象情報編集処理が終了する。なお、図示していないが、案内対象情報がない旨を示す情報、例えばNULLコードがステップＳ６０３により読み出された場合には本案内対象検索処理を終了する。
【００８５】
図７に示す案内情報生成処理が終了すると、図２に示すステップＳ１２９に処理を移行する。この処理は、前述したステップＳ６０７によりメモリの所定領域に記憶された案内情報を、サーバ１０の基本機能によって当該利用者Ｍのウェアラブル端末２０に出力する処理である。即ち、施設Ｐで行われるイベントの参加者である利用者Ｍに次のイベントの案内情報を、サーバ１０の基本機能を用いてインターネット１００を介してウェアラブル端末２０に送信する。これにより、イベントに参加した利用者Ｍのエネルギー消費の状態に応じた次のイベント、例えば、利用者Ｍが選手としてスポーツに参加していると推定される場合にはボリュームの多いメニューや高カロリーのメニューの食事をすることができる飲食施設（飲食店舗）の案内を次のイベント情報として的確に提供することができる。
【００８６】
なお、ウェアラブル端末２０の画面に次のイベントの案内情報として、地図上や風景画像上に当該施設の位置や外観を重畳して表示する場合には、当該施設の位置や外観が他の画像よりも目立つように太線枠で囲む等の強調表示や、漫画の吹き出し風に当該当該施設の名称、説明やコメントを合わせて表示しても良い。これにより、利用者Ｍの視覚により効果的にその存在を訴えるため、周囲の建物等の情報に対して判別し易くなる。
【００８７】
以上説明をしたように、本実施形態に係るイベント情報提供システムによると、ウェアラブル端末２０のＧＰＳユニット２６により利用者Ｍが所定のイベントに参加するために立ち寄った地点Ｐの位置情報を検出し、サーバ１０のイベント内容推定部１０ａにより位置情報に基づいてイベントの内容を推定し、参加態様推定部１０ｂ、案内項目決定部１０ｃ、案内対象検索部１０ｄによりイベントの内容に基づいてこの後に続く次のイベントの案内情報を参加者に提案する。これにより、所定のイベントを終えたイベントの利用者Ｍに次のイベントの案内情報を提供することができる。
【００８８】
なお、上述した実施形態に係るイベント情報提供システムでは、本発明の情報提供装置の一実施形態として、インターネット１００に接続されたサーバ１０と利用者Ｍが装着したウェアラブル端末２０により構成したが、サーバ１０に構成した部分をサーバ１０に代えて、例えば車載用のナビゲーション装置に実装するように構成しても良い。
【００８９】
この場合、図２に示す現在位置取得処理（Ｓ１０３）は、車両のイグニッションキーのオンオフ状態を取得する処理に置き換わり、またその後の所定距離範囲内にあるか否かを判断する処理（Ｓ１０５）は、車両のイグニッションキーのオフ状態であるか否かを判断する処理に置き換わる。さらに、ステップＳ１２３による現在位置取得処理（Ｓ１２３）も、車両のイグニッションキーのオンオフ状態を取得する処理に置き換わり、またその後の所定距離範囲外にあるか否かを判断する処理（Ｓ１２５）は、車両のイグニッションキーのオン状態であるか否かを判断する処理に置き換わる。
【００９０】
このように図２に示す次イベント案内処理を構成することによって、サーバ１０の機能を実装した車載用のナビゲーション装置の利用者は、上述したものと同様の作用・効果を得ることが可能となる。
【符号の説明】
【００９１】
１０…サーバ（情報提供装置）
１０ａ…イベント内容推定部（イベント内容推定手段）
１０ｂ…参加態様推定部（イベント情報提案手段、参加態様推定手段）
１０ｃ…案内項目決定部（イベント情報提案手段、案内情報決定手段）
１０ｄ…案内対象検索部（イベント情報提案手段、案内情報決定手段）
１０ｅ…案内情報生成部（イベント情報提案手段、案内情報出力手段）
１２…入出力装置
１４…データベース
２０…ウェアラブル端末（情報提供装置）
２１…ＭＰＵ（位置情報検出手段、イベント内容推定手段、イベント情報提案手段、参加態様推定手段、案内情報出力手段）
２２…タッチパネルキー
２３…液晶ディスプレイ（案内情報出力手段）
２５…オーディオユニット（案内情報出力手段）
２６…ＧＰＳユニット（位置情報検出手段）
２７…無線ユニット
２８…加速度センサ（参加態様推定手段、参加態様情報を取得する手段）
Ｓ１０３（位置情報検出手段）
Ｓ１１１（イベント内容推定手段）
Ｓ１１３（イベント情報提案手段、参加態様推定手段、参加態様情報を取得する手段）
Ｓ１１５（イベント情報提案手段、案内情報決定手段）
Ｓ１１７（イベント情報提案手段、案内情報決定手段）
Ｓ１２７（イベント情報提案手段、案内情報出力手段）
Ｓ１２９（イベント情報提案手段、案内情報出力手段）
Ｓ３０１（参加態様情報を取得する手段）
Ｍ…利用者（イベントの参加者）
Ｐ…施設（立ち寄った地点）
【図１】
2011210075.tif 000003
【図２】
2011210075.tif 000004
【図３】
2011210075.tif 000005
【図４】
2011210075.tif 000006
【図５】
2011210075.tif 000007
【図６】
2011210075.tif 000008
【図７】
2011210075.tif 000009